(57)【要約】【課題】リモコンのバッテリ残量を、確実且つ正確にユーザに報知することができる遠隔制御システムを、低コストで提供する。【解決手段】リモートコントローラ１において、検出手段（ＣＰＵ１６、検出プログラム１７ａ等）は、バッテリ残量を検出し、送信手段（ＣＰＵ１６、送信プログラム１７ｂ等）は、検出されたバッテリ残量が予め設定されたしきい値以下である場合に、所定のコードを、キー操作に対応するリモコン信号に付加してテレビジョン受像機２に送信する。テレビジョン受像機２において、受信手段（ＣＰＵ２９１、受信プログラム２９３ａ等）は、リモートコントローラ１から送信されたリモコン信号を受信し、報知手段（ＣＰＵ２９１、報知プログラム２９３ｂ、発光部２８等）は、受信されたリモコン信号に付加された所定のコードに応じて、所定の報知を行う。【選択図】図１
2007325078.tif 000002
【特許請求の範囲】
【請求項１】
リモートコントローラにより電子機器の遠隔制御を行う遠隔制御システムにおいて、
前記リモートコントローラは、
バッテリ残量を検出する検出手段と、
前記検出手段により検出されたバッテリ残量が、予め設定された複数段階のしきい値により複数の区分に区分分けされた区分のうちの所定の区分に該当する場合に、所定のコードを、キー操作に対応するリモコン信号に付加して前記電子機器に送信する送信手段と、
前記検出手段により検出されたバッテリ残量が所定のしきい値以下である場合に、キー操作部における特定キーの操作を無効とする無効手段と、
を備え、
前記電子機器は、
前記送信手段により、前記リモートコントローラから送信されたリモコン信号を受信する受信手段と、
前記受信手段により受信されたリモコン信号に付加された前記所定のコードに応じて、複数の色の光を発する発光部における発光色を変更させることにより所定の報知を行う報知手段と、
前記受信手段により受信されたリモコン信号を増幅する増幅部と、
前記受信手段により受信されたリモコン信号に付加された前記所定のコードに応じて、前記増幅部における前記リモコン信号の増幅率を変更する増幅率変更手段と、
を備えることを特徴とする遠隔制御システム。
【請求項２】
リモートコントローラにより電子機器の遠隔制御を行う遠隔制御システムにおいて、
前記リモートコントローラは、
バッテリ残量を検出する検出手段と、
前記検出手段により検出されたバッテリ残量が予め設定されたしきい値以下である場合に、所定のコードを、キー操作に対応するリモコン信号に付加して前記電子機器に送信する送信手段と、
を備え、
前記電子機器は、
前記送信手段により、前記リモートコントローラから送信されたリモコン信号を受信する受信手段と、
前記受信手段により受信されたリモコン信号に付加された前記所定のコードに応じて、所定の報知を行う報知手段と、
を備えることを特徴とする遠隔制御システム。
【請求項３】
前記リモートコントローラは、
前記検出手段により検出されたバッテリ残量が所定のしきい値以下である場合に、キー操作部における特定キーの操作を無効とする無効手段を備えることを特徴とする請求項２に記載の遠隔制御システム。
【請求項４】
前記電子機器は、
前記受信手段により受信されたリモコン信号を増幅する増幅部と、
前記受信手段により受信されたリモコン信号に付加された前記所定のコードに応じて、前記増幅部における前記リモコン信号の増幅率を変更する増幅率変更手段を備えることを特徴とする請求項２又は３に記載の遠隔制御システム。
【請求項５】
前記報知手段は、
複数の色の光を発する発光部を備え、
前記受信手段により受信されたリモコン信号に付加された前記所定のコードに応じて、前記発光部における発光色を変更させることにより前記所定の報知を行うことを特徴とする請求項２〜４の何れか一項に記載の遠隔制御システム。
【発明の詳細な説明】
【技術分野】
【０００１】
本発明は、リモートコントローラにより電子機器の遠隔制御を行う遠隔制御システムに関する。
【背景技術】
【０００２】
リモートコントローラ（以下、リモコンと称する。）により電子機器の遠隔制御を行う遠隔制御システムでは、リモコンのキー操作に応じて受信側が動作しなかった場合に、その原因がリモコンのバッテリ切れによるのか、或いは、機器自体の故障であるのかをユーザが容易に判別できず、適切な対応をとることができないという問題がある。
そこで、従来より、リモコン側で、リモコンのバッテリ残量を検出して、バッテリ残量の検出結果をユーザに対して報知する機能を備える遠隔制御システムが開発されている。
しかしながら、リモコン側でバッテリ残量を報知するシステムでは、リモコンにディスプレイやスピーカ、ＬＥＤ（Light Emitting Diode）等を設けなくてはならないため、コストがかさむという問題があった。
【０００３】
そこで、例えば、特許文献１には、電子機器側で赤外線信号の輝度レベル低下の特性からバッテリ残量の推測を行い、バッテリ残量の低下を検出すると、音や光によりユーザに対するバッテリ残量の警告を行うリモコン・システムが開示されている。
また、例えば、特許文献２には、リモコン送信機に電圧監視部を設け、マイコン部により電圧降下したと判断したら、送信データの送出間隔を通常の倍以上にすることにより、電池の寿命を受信側に知らしめることができ、受信側でテレビ画面上の表示や、ＬＥＤ、音声等によりユーザに電池交換を促すことができるリモコン送信機が開示されている。
【特許文献１】特開平０９−１６３４７３号公報
【特許文献２】特開平０５−０７６０６７号公報
【発明の開示】
【発明が解決しようとする課題】
【０００４】
しかしながら、上記特許文献１のように電子機器側で赤外線信号の輝度レベル低下の特性からバッテリ残量の推測を行う場合や、特許文献２のように送信データの送出間隔を変更するだけでは、リモコンの位置や、リモコン信号の反射等の影響により、バッテリ残量を正確に受信側に知らしめることができないという問題があった。
【０００５】
本発明の課題は、リモコンのバッテリ残量を、確実且つ正確にユーザに報知することができる遠隔制御システムを、低コストで提供することである。
【課題を解決するための手段】
【０００６】
上記課題を解決するため、請求項１に記載の発明は、リモートコントローラにより電子機器の遠隔制御を行う遠隔制御システムにおいて、
前記リモートコントローラは、
バッテリ残量を検出する検出手段と、
前記検出手段により検出されたバッテリ残量が、予め設定された複数段階のしきい値により複数の区分に区分分けされた区分のうちの所定の区分に該当する場合に、所定のコードを、キー操作に対応するリモコン信号に付加して前記電子機器に送信する送信手段と、
前記検出手段により検出されたバッテリ残量が所定のしきい値以下である場合に、キー操作部における特定キーの操作を無効とする無効手段と、
を備え、
前記電子機器は、
前記送信手段により、前記リモートコントローラから送信されたリモコン信号を受信する受信手段と、
前記受信手段により受信されたリモコン信号に付加された前記所定のコードに応じて、複数の色の光を発する発光部における発光色を変更させることにより所定の報知を行う報知手段と、
前記受信手段により受信されたリモコン信号を増幅する増幅部と、
前記受信手段により受信されたリモコン信号に付加された前記所定のコードに応じて、前記増幅部における前記リモコン信号の増幅率を変更する増幅率変更手段と、
を備えることを特徴とする。
【０００７】
請求項２に記載の発明は、リモートコントローラにより電子機器の遠隔制御を行う遠隔制御システムにおいて、
前記リモートコントローラは、
バッテリ残量を検出する検出手段と、
前記検出手段により検出されたバッテリ残量が予め設定されたしきい値以下である場合に、所定のコードを、キー操作に対応するリモコン信号に付加して前記電子機器に送信する送信手段と、
を備え、
前記電子機器は、
前記送信手段により、前記リモートコントローラから送信されたリモコン信号を受信する受信手段と、
前記受信手段により受信されたリモコン信号に付加された前記所定のコードに応じて、所定の報知を行う報知手段と、
を備えることを特徴とする。
【０００８】
請求項３に記載の発明は、請求項２に記載の遠隔制御システムにおいて、前記リモートコントローラは、
前記検出手段により検出されたバッテリ残量が所定のしきい値以下である場合に、キー操作部における特定キーの操作を無効とする無効手段を備えることを特徴とする。
【０００９】
請求項４に記載の発明は、請求項２又は３に記載の遠隔制御システムにおいて、前記電子機器は、
前記受信手段により受信されたリモコン信号を増幅する増幅部と、
前記受信手段により受信されたリモコン信号に付加された前記所定のコードに応じて、前記増幅部における前記リモコン信号の増幅率を変更する増幅率変更手段を備えることを特徴とする。
【００１０】
請求項５に記載の発明は、請求項２〜４の何れか一項に記載の遠隔制御システムにおいて、前記報知手段は、
複数の色の光を発する発光部を備え、
前記受信手段により受信されたリモコン信号に付加された前記所定のコードに応じて、前記発光部における発光色を変更させることにより前記所定の報知を行うことを特徴とする。
【発明の効果】
【００１１】
請求項１に記載の発明によれば、リモートコントローラは、検出手段によりバッテリ残量を検出し、送信手段により、検出手段により検出されたバッテリ残量が、予め設定された複数段階のしきい値により複数の区分に区分分けされた区分のうちの所定の区分に該当する場合に、所定のコードを、キー操作に対応するリモコン信号に付加して電子機器に送信する。また、電子機器は、受信手段により、送信手段によりリモートコントローラから送信されたリモコン信号を受信し、報知手段により、受信手段により受信されたリモコン信号に付加された所定のコードに応じて、複数の色の光を発する発光部における発光色を変更させることにより所定の報知を行う。従って、リモコンの位置や、リモコン信号の反射等による影響を受けることなく、リモコンのバッテリ残量を、確実且つ正確にユーザに報知することができる遠隔制御システムを、低コストで提供することができる。
また、リモートコントローラにおいて、無効手段は、検出手段により検出されたバッテリ残量が所定のしきい値以下である場合に、キー操作部における特定キーの操作を無効とするので、例えば、バッテリ残量が少ない場合には最低限必要なキー以外のキー操作は無効とされることにより、無駄な電力消費を抑えることができる。
さらに、電子機器において、増幅率変更手段は、受信手段により受信されたリモコン信号に付加された所定のコードに応じて、増幅部におけるリモコン信号の増幅率を変更するので、例えば、バッテリ残量が少ない場合にリモコン信号の増幅率を上げることによって、リモコン信号に基づく遠隔制御がより確実に行われることとなる。
また、しきい値を複数段階設けたので、リモコン残量の程度に対応した報知を行うことができることとなって、使い勝手を向上させることができる。
【００１２】
請求項２に記載の発明によれば、リモートコントローラにおいて、検出手段は、バッテリ残量を検出し、送信手段は、検出手段により検出されたバッテリ残量が予め設定されたしきい値以下である場合に、所定のコードを、キー操作に対応するリモコン信号に付加して電子機器に送信する。そして、電子機器において、受信手段は、リモートコントローラから送信されたリモコン信号を受信し、報知手段は、受信手段により受信されたリモコン信号に付加された所定のコードに応じて、所定の報知を行う。従って、リモコンの位置や、リモコン信号の反射等による影響を受けることなく、リモコンのバッテリ残量を、確実且つ正確にユーザに報知することができる遠隔制御システムを、低コストで提供することができる。
【００１３】
請求項３に記載の発明によれば、請求項２に記載の発明の効果が得られるのは無論のこと、リモートコントローラにおいて、無効手段は、検出手段により検出されたバッテリ残量が所定のしきい値以下である場合に、キー操作部における特定キーの操作を無効とするので、例えば、バッテリ残量が少ない場合には最低限必要なキー以外のキー操作は無効とされることにより、無駄な電力消費を抑えることができる。
【００１４】
請求項４に記載の発明によれば、請求項２又は３に記載の発明の効果が得られるのは無論のこと、増幅率変更手段は、受信手段により受信されたリモコン信号に付加された所定のコードに応じて、増幅部におけるリモコン信号の増幅率を変更する。従って、例えば、バッテリ残量が少ない場合にリモコン信号の増幅率を上げることによって、リモコン信号に基づく遠隔制御がより確実に行われることとなる。
【００１５】
請求項５に記載の発明によれば、請求項２〜４の何れか一項に記載の発明の効果が得られるのは無論のこと、報知手段は、複数の色の光を発する発光部を備え、受信手段により受信されたリモコン信号に付加された所定のコードに応じて、発光部における発光色を変更させることにより所定の報知を行うので、ユーザは、より容易にリモートコントローラのバッテリ残量を認識することができる。
【発明を実施するための最良の形態】
【００１６】
本実施形態の遠隔制御システムＳは、図１に示すように、操作されたキーに対応するリモコン信号を送出することにより遠隔制御を行うリモートコントローラ（以下、リモコンと称する。）１と、当該リモコン１により遠隔操作される電子機器としてのテレビジョン受像機２と、を備えて構成されている。
なお、電子機器はこれに限られることなく、例えば、ＤＶＤ（Digital Versatile Disc）プレーヤや、ＶＣＲ（Video Cassette Recorder）等であっても良い。
【００１７】
（リモコンの構成）
リモコン１は、キー操作部１１、発振・変調部１２、赤外線ＬＥＤ（Light Emitting Diode）１３、電源部１４、バッテリ残量検出部１５、ＣＰＵ（Central Processing Unit）１６、ＲＯＭ（Read Only Memory）１７等を備えて構成されている。
【００１８】
キー操作部１１は、ユーザがテレビジョン受像機２に対して、各種指示を入力するための複数のキーを備えており、ユーザによるキーの押下操作を検出して、当該押下されたキーに対応するデータをＣＰＵ１６に出力する。
具体的には、キー操作部１１は、例えば、図２に示すように、テレビジョン受像機２の電源をオン／オフするための電源キー１１ａと、音量を調節するためのボリュームキー１１ｂと、チャンネル番号をダイレクトに入力するためのテンキーであるチャンネルキー１１ｃと、チャンネル番号を１ずつトグルして変更するためのチャンネルアップ／ダウンキー１１ｄと、音声モードを切替選択するための音声モード切替キー１１ｅと、入力を確定するための確定キー１１ｆと、入力を消去するためのクリアキー１１ｇと、各種メニュー画面を表示させるためのメニューキー１１ｈと、等を備えており、各キーには一のデータコードが割り当てられて図示しない所定の記憶領域に記憶されている。当該キー操作部１１において、何れかのキーが押下されると、操作されたキーに対応するデータコードが読み出され、読み出されたデータコードに基づくリモコン信号が生成されて、送信されることとなる。
【００１９】
発振・変調部１２は、ＣＰＵ１６による制御により、キー操作部１１において押下されたキーに応じて発振し、押下されたキーに対応するコードで変調・増幅することにより、リモコン信号を生成する。発振・変調部１２により生成されたリモコン信号は赤外線ＬＥＤ１３に出力される。
【００２０】
赤外線ＬＥＤ１３は、ＣＰＵ１６による制御に従い、発振・変調部１２から出力されるリモコン信号を赤外線として出力する。
【００２１】
電源部１４は、バッテリ１４ａを電源として、リモコン１の各部に電力を供給する。
バッテリ残量検出部１５は、電源部１４におけるバッテリ残量を検出する。具体的には、バッテリ残量検出部１５は、例えば、電圧検出回路により構成されており、電源部１４から出力されるバッテリ１４ａの電圧値を検出して、ＣＰＵ１６に出力する。そして、ＣＰＵ１６により、当該バッテリ電圧値に基づくバッテリ電圧の低下量が算出され、算出されたバッテリ電圧低下量を元にバッテリ残量が推定されることとなる。
【００２２】
ＣＰＵ１６は、リモコン１の各部から入力された入力信号に応じて、ＲＯＭ１７に格納された各種プログラムを実行するとともに、実行にかかるプログラムに基づく出力信号を各部に出力することにより、リモコン１の動作全般を統括制御する。
【００２３】
ＲＯＭ１７は、例えば、不揮発性の半導体メモリであり、ＣＰＵ１６によって実行される各種の制御プログラム並びに各制御プログラムの処理にかかるデータ等を記憶する。具体的には、ＲＯＭ１７は、検出プログラム１７ａ、送信プログラム１７ｂ、無効プログラム１７ｃ等の制御プログラムが格納されている。
【００２４】
検出プログラム１７ａは、例えば、ＣＰＵ１６に、バッテリ残量を検出する機能を実現させるためのプログラムである。
具体的には、ＣＰＵ１６は、所定のタイミングで（例えば、キー操作部１１においてキー操作が行われた場合等に）、バッテリ残量検出部１５により、電源部１４から出力されるバッテリ電圧値を検出させる。そして、検出したバッテリ電圧値に基づいてバッテリ電圧の低下量を算出し、バッテリ残量を検出する。
ＣＰＵ１６は、かかる検出プログラム１７ａを実行することにより、検出手段として機能する。
【００２５】
送信プログラム１７ｂは、例えば、ＣＰＵ１６に、検出プログラム１７ａの実行により検出されたバッテリ残量が、予め設定された複数段階のしきい値により複数の区分に区分分けされた区分のうちの所定の区分に該当する場合に、所定のコードを、キー操作に対応するリモコン信号に付加してテレビジョン受像機２に送信する機能を実現させるためのプログラムである。
具体的には、ＣＰＵ１６は、例えば、２段階のしきい値を設けており、検出プログラム１７ａの実行により検出したバッテリ残量を、第１のしきい値より上（第１区分）、第１のしきい値以下且つ第２のしきい値より上（第２区分）、第２のしきい値以下（第３区分）の、３段階に区分する。すなわち、ＣＰＵ１６は、検出プログラム１７ａの実行によりバッテリ残量が検出されると、検出されたバッテリ残量が第１のしきい値以下であるかを判断する。そして、バッテリ残量が第１のしきい値以下である場合には、さらに、検出されたバッテリ残量が第２のしきい値以下であるかを判断する。
さらに、ＣＰＵ１６は、検出したバッテリ残量が、第１のしきい値以下且つ第２のしきい値より上となる第２区分に該当する場合に、バッテリ残量が少ないことを示す第１の残量コードを、キー操作に基づいて生成されるリモコン信号に付加して、赤外線ＬＥＤ１３により送信する。また、ＣＰＵ１６は、検出したバッテリ残量が第２のしきい値以下となる第３区分に該当する場合に、バッテリ残量が僅かであることを示す第２の残量コードを、キー操作に基づいて生成されるリモコン信号に付加して、赤外線ＬＥＤ１３により送信する。
ＣＰＵ１６は、かかる送信プログラム１７ｂを実行することにより、送信手段として機能する。
【００２６】
図３（ａ）は、バッテリ残量が第１区分に該当する場合に、キー操作部１１におけるキー操作に基づいて生成されるリモコン信号のデータ構造の例示である。また、図３（ｂ）は、バッテリ残量が第２区分に該当する場合に、キー操作部１１におけるキー操作に基づいて生成されるリモコン信号のデータ構造の例示であり、図３（ｃ）は、バッテリ残量が第３区分に該当する場合に、キー操作部１１におけるキー操作に基づいて生成されるリモコン信号のデータ構造の例示である。
図３（ａ）〜図３（ｃ）に示すように、それぞれのリモコン信号は、例えば、リモコン信号が送信されることを受信側に知らせるリーダコードと、メーカー・機器を識別するためのカスタムコードと、制御内容を示すデータコードと、リモコン信号の送信終了であることを示すトレーラと、等から構成される。さらに、バッテリ残量が第２区分に該当する場合に生成されるリモコン信号には、図３（ｂ）に示すように、バッテリ残量が少ないことを示す第１の残量コードが付加されている。また、バッテリ残量が第３区分に該当する場合に生成されるリモコン信号には、図３（ｃ）に示すように、バッテリ残量が僅かであることを示す第２の残量コードが付加されている。
【００２７】
無効プログラム１７ｃは、例えば、ＣＰＵ１６に、検出プログラム１７ａの実行により検出されたバッテリ残量が所定のしきい値以下である場合に、キー操作部１１における特定キーの操作を無効とする機能を実現させるためのプログラムである。
具体的には、ＣＰＵ１６は、検出プログラム１７ａの実行によりバッテリ残量が検出されると、検出されたバッテリ残量が所定のしきい値以下であるかを判断する。そして、バッテリ残量が所定のしきい値以下である場合には、キー操作部１１に備わるキーのうち、特定キーの操作を無効とする。当該特定キーは、例えば、テレビジョン放送番組の視聴に最低限必要なキー（例えば、電源キー１１ａ、ボリュームキー１１ｂ、チャンネルキー１１ｃ）以外のキーであり、具体的には、チャンネルアップ／ダウンキー１１ｄや、音声モード切替キー１１ｅ、確定キー１１ｆ、クリアキー１１ｇ、メニューキー１１ｈ等である。すなわち、これらの特定キーの押下操作がされても、リモコン信号は生成されないこととなる。また、ＣＰＵ１６は、バッテリ残量が所定のしきい値以下でない場合には、キー操作部１１に備える全てのキーの操作を有効として、リモコン信号を生成して送信する。
なお、ここでは、当該無効プログラム１７ｃにおける所定のしきい値を、送信プログラム１７ｂにおける第２のしきい値と同じ値とすることとする。すなわち、第２の残量コードが付加されたリモコン信号は、特定キー以外のキー（例えば、電源キー１１ａ、ボリュームキー１１ｂ、チャンネルキー１１ｃ）が操作された場合のみ生成されて、テレビジョン受像機２に送信されることとなる。
ＣＰＵ１６は、かかる無効プログラム１７ｃを実行することにより、無効手段として機能する。
【００２８】
（テレビジョン受像機の構成）
テレビジョン受像機２は、例えば、リモコン１から送信されたリモコン信号を受信するリモコン信号受信部２１（受信手段）と、テレビジョン放送信号を受信するアンテナ２２と、アンテナ２２から入力された所定の周波数の音声・映像信号を選局するチューナ２３と、チューナ２３により選局された映像信号を復調する復調部２４と、復調部２４により復調された映像信号をデコードするデコーダ部２５と、映像信号及び音声信号に対して所定の映像処理を行う信号処理部２６と、信号処理部２６から入力される映像信号に基づく映像を表示させるとともに、信号処理部２６から入力される音声信号に基づく音声を出力する出力部２７と、報知手段としての発光部２８と、テレビジョン受像機２全体を統括制御する制御部２９と、等を備えて構成され、各部はバス３０により接続されている。
【００２９】
リモコン信号受信部２１は、例えば、ＳＵＢＣＰＵ２１ａ、フォトダイオード２１ｂ、増幅部２１ｃ、復調部２１ｄ、デコーダ２１ｅ、等を備えて構成されており、リモコン１から送信されたリモコン信号をフォトダイオード２１ｂにおいて受信すると、ＳＵＢＣＰＵ２１ａの制御により、増幅部２１ｃにおいて所定の増幅率で増幅する。さらに、増幅されたリモコン信号を復調部２１ｄにおいて復調し、デコーダ２１ｅにより波形整形、誤り訂正等の処理を行って、制御部２９に対して出力する。
当該増幅部２１ｃは、例えば、フォトダイオード２１ｂにおいて受信したリモコン信号を増幅するための増幅回路を備え、制御部２９からの制御に基づいて、増幅回路の帰還抵抗の抵抗値が変更されることにより、リモコン信号の増幅率が可変となる。
【００３０】
アンテナ２２は、例えば、屋外において所定の方向に向けて配置されており、図示しないテレビジョン放送局から発信される高周波（ＲＦ）のテレビジョン放送信号である音声・映像信号を受信する。
チューナ２３は、例えば、図示は省略するが、高周波増幅回路と、局部発振回路及び混合回路から成る周波数変換回路と、を備えて構成されており、アンテナ２２等により入力されたテレビジョン放送信号を、高周波増幅回路において増幅し、混合回路において局部発振回路から出力される局部発振信号と混合し、さらに、特定の周波数を選局するための制御部２９からの制御信号に応じて、特定周波数帯の中間周波信号（IF信号）を受信し、当該中間周波信号に所定の処理を行って復調部２４に出力する。
復調部２４は、例えば、制御部２９からの制御信号に従って、チューナ２３から出力された中間周波信号に対してＯＦＤＭ（Orthogonal Frequency Division Multiplexing;直交周波数分割多重）復調や誤り訂正などの処理を実行し、トランスポートストリーム（TS）を生成して、デコーダ部２５に出力する。
デコーダ部２５は、例えば、復調部２４から入力されたトランスポートストリームを、図示しないＴＳデコーダにおいて、ＭＰＥＧ２（Moving Picture Experts Group 2）規格下のビデオストリーム、オーディオストリーム及びＰＳＩ／ＳＩ（Program Specific Information/Service Information）等に分離するとともに、ビデオストリームを図示しないビデオデコーダに、オーディオストリームを図示しないオーディオデコーダに出力し、さらに、ＰＳＩ／ＳＩに含まれるデータを制御部２９に供給する。ビデオデコーダは、ＴＳデコーダから入力されたビデオストリームを復号し、逆ＤＣＴ変換や動き補償制御等を行い、映像データを生成して、信号処理部２６に出力する。また、オーディオデコーダは、ＴＳデコーダから入力されたオーディオストリームを復号し、音声データを生成して信号処理部２６に出力する。
【００３１】
出力部２７は、例えば、図示しないＬＣＤ（Liquid Crystal Display）、ＰＤＰ（Plasma Display Panel）等のディスプレイを備え、信号処理部２６から入力された映像信号に基づく映像を表示させるとともに、図示しないスピーカ等を備え、信号処理部２６から入力された音声信号に基づく音声を出力させる。
【００３２】
発光部２８は、例えば、異なる色で発光する複数のＬＥＤ（Light Emitting Diode）を備えて成り、リモコン１からのリモコン信号に基づいてＣＰＵ２９１から出力される制御信号に応じて、所定の色で発光する。
具体的には、発光部２８は、図示しない青色ＬＥＤ、黄色ＬＥＤ、及び赤色ＬＥＤを備え、リモコン１から第１の残量コード又は第２の残量コードの何れも付加されていないリモコン信号が送信された場合に、ＣＰＵ２９１から出力される制御信号に基づいて、青色ＬＥＤにより青色の光を発光し、バッテリ残量が十分であることをユーザに報知する。また、発光部２８は、リモコン１から第１の残量コードが付加されたリモコン信号が送信された場合に、ＣＰＵ２９１から出力される制御信号に基づいて、黄色ＬＥＤにより黄色の光を発光し、リモコン１のバッテリ残量が少ないことをユーザに報知する。さらに、発光部２８は、リモコン１から第２の残量コードが付加されたリモコン信号が送信された場合に、ＣＰＵ２９１から出力される制御信号に基づいて、赤色ＬＥＤにより赤色の光を発光し、リモコン１のバッテリ残量が僅かであることをユーザに報知する。
また、当該発光部２８は、バッテリ残量の報知に加えて、何れかの光で発光することにより、リモコン信号を受信したことをユーザに認識させる役割も果たす。
【００３３】
制御部２９は、ＣＰＵ２９１と、ＲＡＭ（Random Access Memory）２９２と、ＲＯＭ２９３と、等を備えて構成されている。
【００３４】
ＣＰＵ２９１は、テレビジョン受像機２の各部からバス３０を介して入力された入力信号に応じて、ＲＯＭ２９３に格納された各種プログラムを実行するとともに、バス３０を介して各部に各種プログラムの実行に基づく制御信号を出力することにより、テレビジョン受像機２の動作全般を統括制御する。
【００３５】
ＲＡＭ２９２は、例えば、揮発性の半導体メモリであり、ＣＰＵ２９１によって各種プログラムが実行される際に生じる処理結果や、入力されたデータを一時的に記憶し、ＣＰＵ２９１のワークエリアとして機能する。
【００３６】
ＲＯＭ２９３は、例えば、不揮発性の半導体メモリであり、ＣＰＵ２９１によって実行される各種の制御プログラム並びに各制御プログラムの処理にかかるデータ等を記憶するものである。      
具体的には、ＲＯＭ２９３には、受信プログラム２９３ａと、報知プログラム２９３ｂと、等の制御プログラムが格納されている。
【００３７】
受信プログラム２９３ａは、例えば、ＣＰＵ２９１に、リモコン１から送信されたリモコン信号を受信する機能を実現させるためのプログラムである。
具体的には、ＣＰＵ２９１は、リモコン１の赤外線ＬＥＤ１３より送信された赤外線信号であるリモコン信号を、リモコン信号受信部２１のフォトダイオード２１ｂにより受信する。
ＣＰＵ２９１は、かかる受信プログラム２９３ａを実行することにより、リモコン信号受信部２１とともに受信手段を構成する。
【００３８】
報知プログラム２９３ｂは、例えば、ＣＰＵ２９１に、受信プログラム２９３ａの実行により受信されたリモコン信号に付加された所定のコードに応じて、複数の色の光を発する発光部２８における発光色を変更させることにより所定の報知を行う機能を実現させるためのプログラムである。
具体的には、ＣＰＵ２９１は、受信プログラム２９３ａの実行によりリモコン信号受信部２１において受信されたリモコン信号に第１の残量コード或いは第２の残量コードの何れの残量コードも付加されていない場合には、青色の光を発光する旨を指示する制御信号を発光部２８に出力して、青色ＬＥＤを発光させ、バッテリ残量が十分であることをユーザに報知する。また、ＣＰＵ２９１は、リモコン信号受信部２１において受信されたリモコン信号に第１の残量コードが付加されている場合には、黄色の光を発光する旨を指示する制御信号を発光部２８に出力して、黄色ＬＥＤを発光させ、バッテリ残量が少ないことをユーザに報知する。さらに、ＣＰＵ２９１は、リモコン信号受信部２１において受信されたリモコン信号に第２の残量コードが付加されている場合には、赤色の光を発光する旨の制御信号を発光部２８に出力して、赤色ＬＥＤを発光させ、バッテリ残量が僅かであることをユーザに報知する。
ＣＰＵ２９１は、かかる報知プログラム２９３ｂを実行することにより、発光部２８とともに報知手段を構成する。
【００３９】
また、ＣＰＵ２９１は、受信プログラム２９３ａの実行によりリモコン信号受信部２１において受信されたリモコン信号に第１の残量コード又は第２の残量コードが付加されている場合には、増幅部２１ｃに、リモコン信号の増幅率を変更するための指示信号を出力して、増幅部２１ｃにおけるリモコン信号の増幅率を高める。ＣＰＵ２９１は、増幅部２１ｃにおけるリモコン信号の増幅率を変更することにより増幅率変更手段として機能する。
【００４０】
次に、図４のフローチャートを参照しながら、ＣＰＵ２９１によるバッテリ残量報知処理について説明する。
本処理は、リモコン１のＣＰＵが、検出プログラム１７ａ、送信プログラム１７ｂ、無効プログラム１７ｃを実行するとともに、テレビジョン受像機２のＣＰＵ２９１が、受信プログラム２９３ａ、報知プログラム２９３ｂを実行することにより行われる。
【００４１】
リモコン１のＣＰＵ１６は、キー操作部１１におけるキー操作の有無を監視しており、ステップＳ１において、キー操作部１１においてキー操作がなされたか否かを判断する。ＣＰＵ１６は、ステップＳ１において、キー操作がなされたと判断すると（ステップＳ１；Ｙｅｓ）、次にステップＳ２において、バッテリ残量検出部１５により、電源部１４から出力されるバッテリ電圧値を検出し、検出したバッテリ電圧の低下量からバッテリ残量を検出する。ステップＳ３において、ＣＰＵ１６は、検出したバッテリ残量が第１のしきい値以下であるか否かを判断する。ＣＰＵ１６は、ステップＳ３において、バッテリ残量が第１のしきい値よりも上と判断すると、第１の残量コード或いは第２の残量コードの何れも付加されていないリモコン信号を生成して、赤外線ＬＥＤ１３により、テレビジョン受像機２に送信し（ステップＳ４）、本処理を終了する。
一方、ＣＰＵ１６は、ステップＳ３において、検出したバッテリ残量が第１のしきい値以下であると判断すると（ステップＳ３；Ｙｅｓ）、続くステップＳ５において、バッテリ残量が第２のしきい値以下であるか否かを判断する。ＣＰＵ１６は、ステップＳ５において、バッテリ残量が第２のしきい値よりも上と判断すると（ステップＳ５；Ｎｏ）、第１の残量コードを付加したリモコン信号を生成して、生成したリモコン信号を、赤外線ＬＥＤ１３により、テレビジョン受像機２に送信し（ステップＳ６）、本処理を終了する。
一方、ＣＰＵ１６は、ステップＳ５において、バッテリ残量が第２のしきい値以下であると判断すると（ステップＳ５；Ｙｅｓ）、ステップＳ７において、ステップＳ１において操作されたキーが特定キーであるか否かを判断する。ＣＰＵ１６は、ステップＳ７において、操作されたキーが特定キーでないと判断すると（ステップＳ７；Ｎｏ）、第２の残量コードを付加したリモコン信号を生成して、生成したリモコン信号を、赤外線ＬＥＤ１３により、テレビジョン受像機２に送信し（ステップＳ８）、本処理を終了する。一方、ＣＰＵ１６は、ステップＳ７において、操作されたキーが特定キーであると判断すると（ステップＳ７；Ｙｅｓ）、キー操作を無効として（ステップＳ９）、本処理を終了する。
【００４２】
テレビジョン受像機２のＣＰＵ２９１は、ステップＳ１０において、リモコン信号受信部２１によりリモコン１から送信されたリモコン信号を受信すると、ステップＳ１１において当該リモコン信号に第１の残量コードが付加されているか否かを判断する。ＣＰＵ２９１は、ステップＳ１１において、リモコン信号に第１の残量コードが付加されていないと判断すると（ステップＳ１１；Ｎｏ）、続くステップＳ１２において、リモコン信号に第２の残量コードが付加されているか否かを判断する。ＣＰＵ２９１は、ステップＳ１２において、リモコン信号に第２の残量コードが付加されていないと判断すると（ステップＳ１２；Ｎｏ）発光部２８の青色ＬＥＤを発光させるとともに、リモコン信号に対応する処理を実行し（ステップＳ１３）、本処理を終了する。
一方、ＣＰＵ２９１は、ステップＳ１１において、リモコン信号に第１の残量コードが付加されていると判断すると（ステップＳ１１；Ｙｅｓ）、発光部２８の黄色ＬＥＤを発光させるとともに、リモコン信号に対応する処理を実行し（ステップＳ１４）、本処理を終了する。
また、ＣＰＵ２９１は、ステップＳ１２において、リモコン信号に第２の残量コードが付加されていると判断すると（ステップＳ１２；Ｙｅｓ）、発光部２８の赤色ＬＥＤを発光させるとともに、リモコン信号に対応する処理を実行し（ステップＳ１５）、本処理を終了する。
【００４３】
以上説明した本実施形態における遠隔制御システムＳによれば、リモートコントローラ１において、ＣＰＵ１６による検出プログラム１７ａの実行によりバッテリ残量が検出され、送信プログラム１７ｂの実行により、検出プログラム１７ａの実行により検出されたバッテリ残量が、予め設定された複数段階のしきい値により複数の区分に区分分けされた区分のうちの所定の区分である場合に、所定のコードが、キー操作に対応するリモコン信号に付加されてテレビジョン受像機２に送信される。そして、テレビジョン受像機２において、ＣＰＵ２９１による受信プログラム２９３ａの実行により、リモートコントローラ１から送信されたリモコン信号が受信され、報知プログラム２９３ｂの実行により、受信されたリモコン信号に付加された所定のコードに応じて、複数の色の光を発する発光部２８における発光色が変更されることにより所定の報知が行われる。従って、リモコン１の位置や、リモコン信号の反射等による影響を受けることなく、リモコン１のバッテリ残量を、確実且つ正確にユーザに報知することができる遠隔制御システムＳを、低コストで提供することができる。
また、リモートコントローラ１において、ＣＰＵ１６による無効プログラム１７ｃの実行により、検出プログラム１７ａの実行により検出されたバッテリ残量が所定のしきい値以下である場合に、キー操作部１１における特定キーの操作が無効とされるので、バッテリ残量が少ない場合には最低限必要なキー以外のキー操作は無効とされることにより、無駄な電力消費を抑えることができる。
さらに、テレビジョン受像機２において、受信プログラム２９３ａの実行により受信されたリモコン信号に付加された所定のコードに応じて、増幅部２１ｃにおけるリモコン信号の増幅率が変更されるので、バッテリ残量が少ない場合であっても、リモコン信号に基づく遠隔制御がより確実に行われることとなる。
【００４４】
なお、本発明は、上記実施の形態に限定されることなく、本発明の趣旨を逸脱しない範囲において、種々の改良並びに設計の変更を行っても良い。
例えば、報知プログラム２９３ｂによる報知は、発光部２８における発光色の変更に限られることなく、例えば、発光部２８における点滅の有無や、点滅の速度を変更することにより報知を行って良いし、また、ディスプレイ表示や音声アナウンスにより報知を行っても良い。
【図面の簡単な説明】
【００４５】
【図１】本実施形態における遠隔制御システム、リモートコントローラ及びテレビジョン受像機の要部構成を例示するブロック図である。
【図２】本実施形態におけるリモートコントローラの平面図を例示する図である。
【図３】送信プログラムの実行により送信されるリモコン信号のデータ構造を例示する図であり、図３（ａ）は、バッテリ残量が第１区分に該当する場合に送信されるリモコン信号のデータ構造、図３（ｂ）は、バッテリ残量が第２区分に該当する場合に送信されるリモコン信号のデータ構造、図３（ｃ）は、バッテリ残量が第３区分に該当する場合に送信されるリモコン信号のデータ構造である。
【図４】ＣＰＵによるバッテリ残量報知処理を示すフローチャートである。
【符号の説明】
【００４６】
Ｓ        遠隔制御システム
１        リモートコントローラ
２        テレビジョン受像機（電子機器）
１１      キー操作部
１６      ＣＰＵ（検出手段、送信手段、無効手段）
１７ａ    検出プログラム（検出手段）
１７ｂ    送信プログラム（送信手段）
１７ｃ    無効プログラム（無効手段）
２１      リモコン信号受信部（受信手段）
２１ｃ    増幅部
２８      発光部（報知手段）
２９１    ＣＰＵ（受信手段、報知手段、増幅率変更手段）
２９３ａ  受信プログラム（受信手段）
２９３ｂ  報知プログラム（報知手段）
【図１】
2007325078.tif 000003
【図２】
2007325078.tif 000004
【図３】
2007325078.tif 000005
【図４】
2007325078.tif 000006